【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
多値画像データにノイズを多重化し、ノイズを多重化した分布による目視可能な付加情報を埋め込む画像処理装置であって、
画素単位にノイズを多重化する／しないを示す情報を、前記付加情報として入力する入力手段と、
前記付加情報に基づき、多値画像データ中の注目画素が、ノイズを多重化する位置にあるのか否かを判定する判定手段と、
該判定手段によって、注目画素の位置がノイズを多重化する位置にあると判定した場合、注目画素の近傍の領域のデータに基づき、ノイズを多重化するビット領域を特定する特定手段と、
該特定手段で特定された注目画素のビット領域に対して可逆的にビット情報を変更する変更手段と
を備えることを特徴とする画像処理装置。
【請求項２】
更に、ノイズの多重化させる強度に関する情報を設定する手段を備え、
前記特定手段は、設定された強度に関する情報及び前記近傍領域のデータに基づいて、ノイズを多重化するビット領域を特定することを特徴とする請求項１に記載の画像処理装置。
【請求項３】
ノイズが可逆的に埋め込まれ、目視可能な付加情報が多重化された多値画像データから、前記付加情報を除去する画像処理装置であって、
画素単位にノイズを多重化する／しないを示す情報を、前記付加情報として入力する入力手段と、
前記付加情報に基づき、多値画像データ中の注目画素が、ノイズが多重化された位置にあるのか否かを判定する判定手段と、
該判定手段によって、注目画素がノイズの多重化された位置にあると判定した場合、注目画素に対して除去処理が完了した近傍領域のデータに基づき、ノイズが多重化されたビット領域を特定する特定手段と、
該特定手段で特定された注目画素のビット領域の状態を、ノイズ多重化した際の逆変換することで、多重化する以前の状態に復元する復元手段と
を備えることを特徴とする画像処理装置。
【請求項４】
多値画像データを所定サイズの画素ブロック単位に周波数成分データに変換して圧縮符号化すると共に、前記多値画像にノイズを多重化し、ノイズを多重化した分布による目視可能な付加情報を埋め込む画像処理装置であって、
前記所定サイズの画素ブロック単位に、ノイズを多重化する／しないを示す情報を、前記付加情報として入力する入力手段と、
入力した前記付加情報に基づき、注目画素ブロックが、ノイズを多重化する位置にあるのか否かを判定する判定手段と、
該判定手段によって、注目画素ブロックの位置がノイズを多重化する位置にあると判定した場合、注目画素ブロックの近傍に位置する近傍画素ブロックの変換後の低周波成分である参照領域に基づき、注目画素ブロックの変換後の低周波成分を構成するデータのノイズを多重化するビット領域を特定する特定手段と、
該特定手段で特定された低周波成分のデータのビット領域に対して可逆的にビット情報を変更する変更手段と
を備えることを特徴とする画像処理装置。
【請求項５】
多値画像データを所定サイズの画素ブロック単位に周波数成分データに変換して圧縮符号化すると共に、前記多値画像にノイズを多重化し、ノイズを多重化した分布による目視可能な付加情報を埋め込む画像処理装置であって、
前記所定サイズの画素ブロック単位に、ノイズを多重化する／しないを示す情報を、前記付加情報として入力する入力手段と、
入力した前記付加情報に基づき、注目画素ブロックが、ノイズを多重化する位置にあるのか否かを判定する判定手段と、
該判定手段によって、注目画素ブロックの位置がノイズを多重化する位置にあると判定した場合、注目画素ブロックの変換後の高周波成分である参照領域に基づき、注目ブロックの低周波成分を構成するデータのノイズを多重化するビット領域を特定手段と、
該特定手段で特定された低周波成分のデータのビット領域に対して可逆的にビット情報を変更する変更手段と
を備えることを特徴とする画像処理装置。
【請求項６】
前記周波数成分への変換は直交変換であって、前記低周波成分は直交変換後の直流成分であることを特徴とする請求項４又は５に記載の画像処理装置。
【請求項７】
前記周波数成分への変換はウェーブレット変換であって、前記低周波成分は複数回のウェーブレット変換によって生成される低周波成分のブロックのデータであることを特徴とする請求項６に記載の画像処理装置。
【請求項８】
更に、ノイズの多重化させる強度に関する情報を設定する手段を備え、
前記特定手段は、設定された強度に関する情報と、前記参照領域に基づいて、前記注目画素ブロックの低周波成分におけるノイズ多重化するビット領域を特定することを特徴とする請求項４乃至７のいずれか１項に記載の画像処理装置。
【請求項９】
多値画像データにノイズを多重化し、ノイズを多重化した分布による目視可能な付加情報を埋め込む画像処理方法であって、
画素単位にノイズを多重化する／しないを示す情報を、前記付加情報として入力する入力工程と、
前記付加情報に基づき、多値画像データ中の注目画素が、ノイズを多重化する位置にあるのか否かを判定する判定工程と、
該判定工程によって、注目画素の位置がノイズを多重化する位置にあると判定した場合、注目画素の近傍の領域のデータに基づき、ノイズを多重化するビット領域を特定する特定工程と、
該特定工程で特定された注目画素のビット領域に対して可逆的にビット情報を変更する変更工程と
を備えることを特徴とする画像処理方法。
【請求項１０】
ノイズが可逆的に埋め込まれ、目視可能な付加情報が多重化された多値画像データから、前記付加情報を除去する画像処理方法であって、
画素単位にノイズを多重化する／しないを示す情報を、前記付加情報として入力する入力工程と、
前記付加情報に基づき、多値画像データ中の注目画素が、ノイズが多重化された位置にあるのか否かを判定する判定工程と、
該判定工程によって、注目画素がノイズの多重化された位置にあると判定した場合、注目画素に対して除去処理が完了した近傍領域のデータに基づき、ノイズが多重化されたビット領域を特定する特定工程と、
該特定工程で特定された注目画素のビット領域の状態を、ノイズ多重化した際の逆変換することで、多重化する以前の状態に復元する復元工程と
を備えることを特徴とする画像処理方法。
【請求項１１】
多値画像データを所定サイズの画素ブロック単位に周波数成分データに変換して圧縮符号化すると共に、前記多値画像にノイズを多重化し、ノイズを多重化した分布による目視可能な付加情報を埋め込む画像処理方法であって、
前記所定サイズの画素ブロック単位に、ノイズを多重化する／しないを示す情報を、前記付加情報として入力する入力工程と、
入力した前記付加情報に基づき、注目画素ブロックが、ノイズを多重化する位置にあるのか否かを判定する判定工程と、
該判定工程によって、注目画素ブロックの位置がノイズを多重化する位置にあると判定した場合、注目画素ブロックの近傍に位置する近傍画素ブロックの変換後の低周波成分である参照領域に基づき、注目画素ブロックの変換後の低周波成分を構成するデータのノイズを多重化するビット領域を特定する特定工程と、
該特定工程で特定された低周波成分のデータのビット領域に対して可逆的にビット情報を変更する変更工程と
を備えることを特徴とする画像処理方法。
【請求項１２】
多値画像データを所定サイズの画素ブロック単位に周波数成分データに変換して圧縮符号化すると共に、前記多値画像にノイズを多重化し、ノイズを多重化した分布による目視可能な付加情報を埋め込む画像処理方法であって、
前記所定サイズの画素ブロック単位に、ノイズを多重化する／しないを示す情報を、前記付加情報として入力する入力工程と、
入力した前記付加情報に基づき、注目画素ブロックが、ノイズを多重化する位置にあるのか否かを判定する判定工程と、
該判定工程によって、注目画素ブロックの位置がノイズを多重化する位置にあると判定した場合、注目画素ブロックの変換後の高周波成分である参照領域に基づき、注目ブロックの低周波成分を構成するデータのノイズを多重化するビット領域を特定工程と、
該特定手段で特定された低周波成分のデータのビット領域に対して可逆的にビット情報を変更する変更工程と
を備えることを特徴とする画像処理方法。
【請求項１３】
請求項１乃至８の何れか１項に記載の画像処理装置の機能をコンピュータに実現させるためのコンピュータプログラム。
【請求項１４】
請求項１３に記載のコンピュータプログラムを格納したことを特徴とするコンピュータ可読記憶媒体。